(57)【特許請求の範囲】
【請求項１】
ＤＣファンモータの回転の要否を表わすファン回転指令信号を発生するファン回転指令信号発生手段と、
前記ファン回転指令信号に基づいて、駆動毎の初期段階のみ連続駆動期間とし、この連続駆動期間の後を間欠駆動期間とするファン駆動指令を発生する間欠駆動判断手段と、
前記ファン駆動指令であるパルス電圧により直列接続された複数のＤＣファンモータを駆動するファン駆動回路と、
前記直列接続された複数のＤＣファンモータの回転状態を検出する回転検出回路とを備え、
前記回転検出回路は、
前記直列接続された各ＤＣファンモータの両端に印加される電圧を当該ＤＣファンモータの許容印加電圧以下に抑制して所定の電圧にバランスするための複数の出力能動素子を持つ電圧バランス回路と、
前記出力能動素子に流れる電流の検出に基づいて前記ＤＣファンモータの異常を検出するとファン異常信号を出力するフィルタ回路を持つファン異常検出回路とを有し、
前記連続駆動期間は、ＤＣファンモータの駆動毎の最初の、前記フィルタ回路の放電時定数で決まる第２の時間よりも十分長い第１の時間で、前記ファン駆動指令が１００％デューティーであり、
前記間欠駆動期間は、前記連続駆動期間に続く前記ファン駆動指令が出ている間で、前記ファン駆動指令が前記１００％デューティーに続く所定のデューティーであり、
前記間欠駆動判断手段は、前記ファン異常信号に基づいて、ＤＣファンモータの駆動を停止させるように前記ファン駆動指令の発生を止める
ことを特徴とするＤＣファンモータ駆動装置。
【請求項２】
エレベーターのかご位置の情報に基づいて、前記ＤＣファンモータが設置されている位置とかご位置の間が所定の距離だけ離れている場合には、前記ＤＣファンモータの連続駆動を許可する信号を出力するファン駆動領域判定手段と、
前記連続駆動を許可する信号に基づいて駆動タイミングを前記間欠駆動判断手段へ指示する条件入力手段とをさらに備え、
前記間欠駆動判断手段は、前記ファン回転指令を入力した後、前記条件入力手段からの駆動タイミングに基づいて、駆動の初期段階のみ連続駆動期間とし、この連続駆動期間の後を間欠駆動期間とするファン駆動指令を出力する
ことを特徴とする請求項１記載のＤＣファンモータ駆動装置。
【請求項３】
エレベーターの運転状況情報に基づいて、エレベーターが所定期間使用されない運転状況を検出した場合には、前記ＤＣファンモータの連続駆動を許可する信号を出力するファン駆動要否判定手段と、
前記連続駆動を許可する信号に基づいて駆動タイミングを前記間欠駆動判断手段へ指示する条件入力手段とをさらに備え、
前記間欠駆動判断手段は、前記ファン回転指令を入力した後、前記条件入力手段からの駆動タイミングに基づいて、駆動の初期段階のみ連続駆動期間とし、この連続駆動期間の後を間欠駆動期間とするファン駆動指令を出力する
ことを特徴とする請求項１記載のＤＣファンモータ駆動装置。
【発明の詳細な説明】
【０００１】
【発明の属する技術分野】
この発明は、騒音、風量調整、省エネルギー、ＤＣファンモータ延命等を目的に、ＤＣファンモータをパルス（ＰＷＭ等）駆動する場合でも、ＤＣファンモータのロックや接続忘れ、ＤＣファンモータの電源線断線等の異常を検出できるＤＣファンモータ駆動装置に関するものである。
【０００２】
【従来の技術】
従来のＤＣファンモータ駆動装置について図面を参照しながら説明する。図２は、例えば特願平１２−０９３７９６号に示す２個のＤＣファンモータを直列駆動する場合の従来のＤＣファンモータ駆動装置の部分構成を示す図である。
【０００３】
図２において、１は後述するＤＣファンモータに例えば４８Ｖの直流電圧などの電力を供給する直流電源、２はファン駆動指令を受けるドライブ回路、３はドライブ回路２によって駆動される半導体スイッチ、４ａ及び４ｂはＤＣファンモータ、５は直列接続されたＤＣファンモータ４ａ、４ｂの両端に印加される電圧をバランスさせるための電圧バランス回路及びファン異常検出回路である。
【０００４】
同図において、半導体スイッチ３がＯＮすると、直列接続されたＤＣファンモータ４ａ、４ｂに直流電圧が印加される。また、電圧バランス回路及びファン異常検出回路５の内部回路は、図３や、図４を参照しながら後で説明する。
【０００５】
また、特開平８−１０７６９７号公報には、１個のＤＣファンモータを駆動する場合のＤＣファンモータ駆動装置が記載されている。尚、異常検出回路の動作原理は、図４に示すものと同じである。
【０００６】
【発明が解決しようとする課題】
一般に、市販のＤＣファンモータは、ロックに対して保護機能を有しており、ロックを検出すると自動的に動作を停止し、自己の消費電力を低減するように動作する。尚、数秒後にロックが解消されていれば、ＤＣファンモータは再び回転する。
【０００７】
このＤＣファンモータが持つ自己保護機能により、直列接続されたＤＣファンモータのうちの一つに、ロックもしくは接続忘れ、電源線断線等の異常が発生した場合には、異常検出回路が動作するよう構成されたものが、上記で述べた図２、図３、図４の異常検出回路である。図３は、電圧バランス回路が動作することにより、流れる電流を検出して異常検出するものであり、図４は、電圧がアンバランスになることによる過電圧を、つまりゼナーダイオード２１ａ又は２１ｂによって流れ始める電流を検出するものである。
【０００８】
上記のいずれの異常検出回路においても、図２における半導体スイッチ３がＯＮ状態、即ちＤＣファンモータ４ａ、４ｂに電圧が印加されない限り、異常を検出し得ない。従って、騒音や風量調整、省エネルギー、ファンの寿命を延ばす等の目的で、ＤＣファンモータをパルス電圧駆動する場合は、ＤＣファンモータがＯＮ／ＯＦＦを繰返すため、フィルタ回路を通じて異常検出する前に入力がＯＦＦされることとなる。
【０００９】
従って、ＤＣファンモータにロックや接続忘れ、ＤＣファンモータ電源線断線等の異常が発生していても、異常検出することができず、異常を見過したまま放置される可能性があり、ＤＣファンモータ駆動装置の信頼性が低下するという問題点があった。
【００１０】
異常検出回路のフィルタ回路時定数よりも短いインターバルで、ＤＣファンモータを間欠運転すると、ＤＣファンモータのロック状態を検出することができなくなる。
【００１１】
この発明は、前述した問題点を解決するためになされたもので、ＤＣファンモータをパルス駆動する場合でも、ＤＣファンモータのロックや接続忘れ、ＤＣファンモータの電源線断線等の異常を検出することができるＤＣファンモータ駆動装置を得ることを目的とする。
【００１２】
【課題を解決するための手段】
この発明の請求項１に係るＤＣファンモータ駆動装置は、ＤＣファンモータの回転の要否を表わすファン回転指令信号を発生するファン回転指令信号発生手段と、前記ファン回転指令信号に基づいて、駆動毎の初期段階のみ連続駆動期間とし、この連続駆動期間の後を間欠駆動期間とするファン駆動指令を発生する間欠駆動判断手段と、前記ファン駆動指令であるパルス電圧により直列接続された複数のＤＣファンモータを駆動するファン駆動回路と、前記直列接続された複数のＤＣファンモータの回転状態を検出する回転検出回路とを備え、前記回転検出回路は、前記直列接続された各ＤＣファンモータの両端に印加される電圧を当該ＤＣファンモータの許容印加電圧以下に抑制して所定の電圧にバランスするための複数の出力能動素子を持つ電圧バランス回路と、前記出力能動素子に流れる電流の検出に基づいて前記ＤＣファンモータの異常を検出するとファン異常信号を出力するフィルタ回路を持つファン異常検出回路とを有し、前記連続駆動期間は、ＤＣファンモータの駆動毎の最初の、前記フィルタ回路の放電時定数で決まる第２の時間よりも十分長い第１の時間で、前記ファン駆動指令が１００％デューティーであり、前記間欠駆動期間は、前記連続駆動期間に続く前記ファン駆動指令が出ている間で、前記ファン駆動指令が前記１００％デューティーに続く所定のデューティーであり、前記間欠駆動判断手段は、前記ファン異常信号に基づいて、ＤＣファンモータの駆動を停止させるように前記ファン駆動指令の発生を止めるものである。
【００１５】
この発明の請求項２に係るＤＣファンモータ駆動装置は、エレベーターのかご位置の情報に基づいて、前記ＤＣファンモータが設置されている位置とかご位置の間が所定の距離だけ離れている場合には、前記ＤＣファンモータの連続駆動を許可する信号を出力するファン駆動領域判定手段と、前記連続駆動を許可する信号に基づいて駆動タイミングを前記間欠駆動判断手段へ指示する条件入力手段とをさらに備え、前記間欠駆動判断手段は、前記ファン回転指令を入力した後、前記条件入力手段からの駆動タイミングに基づいて、駆動の初期段階のみ連続駆動期間とし、この連続駆動期間の後を間欠駆動期間とするファン駆動指令を出力するものである。
【００１６】
この発明の請求項３に係るＤＣファンモータ駆動装置は、エレベーターの運転状況情報に基づいて、エレベーターが所定期間使用されない運転状況を検出した場合には、前記ＤＣファンモータの連続駆動を許可する信号を出力するファン駆動要否判定手段と、前記連続駆動を許可する信号に基づいて駆動タイミングを前記間欠駆動判断手段へ指示する条件入力手段とをさらに備え、前記間欠駆動判断手段は、前記ファン回転指令を入力した後、前記条件入力手段からの駆動タイミングに基づいて、駆動の初期段階のみ連続駆動期間とし、この連続駆動期間の後を間欠駆動期間とするファン駆動指令を出力するものである。
【００１７】
【発明の実施の形態】
実施の形態１．
この発明の実施の形態１に係るＤＣファンモータ駆動装置について図面を参照しながら説明する。図１は、この発明の実施の形態１〜３に係るＤＣファンモータ駆動装置の全体構成を示すブロック図である。なお、各図中、同一符号は同一又は相当部分を示す。
【００１８】
図１において、１００はファン回転指令信号発生手段、１１０は間欠駆動判断手段、１２０はファン駆動回路、１３０は回転検出回路、１４０はＤＣファンモータ、１５０はエレベーターかご位置（情報）、１６０はファン駆動領域判定手段、１７０条件入力手段、１８０はエレベーター運転状況（情報）、１９０はファン駆動要否判定手段である。
【００１９】
図２は、この発明の実施の形態１〜３に係るＤＣファンモータ駆動装置の具体構成を示す図である。
【００２０】
図２において、１は例えば４８Ｖの直流電圧などの電力を供給する直流電源、２はファン駆動指令を受けるドライブ回路、３はドライブ回路２によって駆動される半導体スイッチ、４ａ及び４ｂはＤＣファンモータ、５は電圧バランス回路及びファン異常検出回路である。
【００２１】
なお、図２のドライブ回路２、及び半導体スイッチ３は、図１に示すファン駆動回路１２０に相当する。また、図２の電圧バランス回路及びファン異常検出回路５は、図１に示す回転検出回路１３０に相当する。さらに、図２のＤＣファンモータ４ａ及び４ｂは、図１に示すＤＣファンモータ１４０に相当する。
【００２２】
図３は、この発明の実施の形態１〜３に係るＤＣファンモータ駆動装置の電圧バランス回路及びファン異常検出回路の構成を示す図である。
【００２３】
また、図４は、この発明の実施の形態１〜３に係るＤＣファンモータ駆動装置の他の電圧バランス回路及びファン異常検出回路の構成を示す図である。
【００２４】
電圧バランス回路及びファン異常検出回路５は、図３に示す回路５Ａで構成されたり、図４に示す回路５Ｂで構成されたりする。
【００２５】
図３において、６ａ、６ｂは半導体スイッチ３がＯＮしたとき直流電源１（４８Ｖ）の中点電圧ａ（２４Ｖ）を作るための分圧抵抗、７ａ、７ｂはＤＣファンモータ４ａ、４ｂに印加される電圧のアンバランス分を補償するための電圧駆動形半導体素子である、Ｎ型ＭＯＳＦＥＴ、Ｐ型ＭＯＳＦＥＴ、８ａ、８ｂはそれぞれ、ＭＯＳＦＥＴ７ａ、７ｂに流れる電流を検出する為の低抵抗であり、大きすぎるとＭＯＳＦＥＴ７ａ、７ｂを流れる電流が制限されて、電圧バランス能力が低下する。
【００２６】
また、図３において、９ａ、９ｂはそれぞれＮＰＮ型トランジスタ１２ａ、ＰＮＰトランジスタ１２ｂのベース抵抗であり、抵抗８ａ、８ｂの電圧降下がスレッシュ電圧（約０．６Ｖ）以上になると、それぞれトランジスタ１２ａ、１２ｂをＯＮし、制限抵抗１０ａ、１０ｂを通じてフォトカプラ１１ａ、１１ｂに電流が流れる。
【００２７】
さらに、図３において、１３は異常検出回路のロジックの電源、１４はワイヤードＯＲ接続されたフォトカプラ１１ａ、１１ｂのプルアップ抵抗、１５は逆阻止用ダイオード、１６はフィルター用のコンデンサ、１７はトランジスタ１８のベース抵抗、１９はプルアップ抵抗である。
【００２８】
また、図４に示す電圧バランス回路及びファン異常検出回路５Ｂは、抵抗２０ａ、２０ｂがそれぞれＤＣファンモータ４ａ、４ｂに並列に接続されており、抵抗値はＤＣファンモータ４ａ、４ｂのインピーダンスよりも小さく設定され、電圧バランスの機能を持つ。ゼナーダイオード２１ａ、２１ｂは、ＤＣファンモータ４ａ、４ｂがアンバランスになり、ー方に過電圧が加わったときに電流が流れ、制限抵抗１０ａ、１０ｂを通して、フォトカプラ１１ａ、１１ｂを動作させる。電源１３〜プルアップ抵抗１９については、上記で述べた図３と同様のものである。
【００２９】
つぎに、この実施の形態１に係るＤＣファンモータ駆動装置の動作について図面を参照しながら説明する。
【００３０】
図５は、この発明の実施の形態１に係るＤＣファンモータ駆動装置の間欠駆動判断手段の動作を示すフローチャートである。
【００３１】
図５において、Ｐは、連続駆動の許可を示すフラグで、”０”の時には連続駆動を実行し、”１”の時には連続駆動をせず間欠駆動とする。
【００３２】
また、図５において、Ｔは、連続駆動の継続時間をカウントするカウンタで、カウンタ値が”Ｓ”になると連続駆動を停止する。即ち、カウント時間”Ｓ”（＝Ｔ１）だけ連続駆動を継続することである。
【００３３】
図１において、まず、ＤＣファンモータ１４０を回転させるために、ファン回転指令信号発生手段１００は、ファン回転指令を出力する。次に、このファン回転指令が間欠駆動判断手段１１０に伝えられると、この間欠駆動判断手段１１０は、条件入力手段１７０による駆動条件、例えば駆動タイミングや駆動方法の指示、あるいは回転検出回路１３０からのファン異常信号によって、ＤＣファンモータ１４０の駆動内容を判断して、ファン駆動指令を出力する（図５のステップ２００〜２０７）。そして、ファン駆動回路１２０は、間欠駆動判断手段１１０より指示された駆動内容でＤＣファンモータ１４０を駆動する。
【００３４】
また、回転検出回路１３０では、ＤＣファンモータ１４０の回転状況を監視する。この回転検出回路１３０の検出結果によって、ファン異常信号により異常発生を知らせたり、間欠駆動判断手段１１０ではＤＣファンモータ１４０の駆動を停止させる（図５のステップ２００、２３０〜２３１）。
【００３５】
つづいて、この実施の形態１に係るＤＣファンモータ駆動装置のファン異常検出回路の動作について図面を参照しながら説明する。
【００３６】
図６は、この発明の実施の形態１に係るＤＣファンモータ駆動装置のファン異常検出回路の動作を示すタイミングチャートである。
【００３７】
一例として、ＤＣファンモータ４ａにロック状態が発生していて、ＤＣファンモータ４ａ、４ｂが駆動された場合を説明する。
【００３８】
図６において、（ａ）はファン駆動指令であり、駆動時Ｌレベルの信号である。（ｂ）はＤＣファンモータ４ｂの印加電圧、（ｃ）はファン異常検出回路のｃ点の電位、（ｄ）はファン異常検出回路のｄ点の電位、（ｅ）はファン異常検出回路のｅ点の電位、即ちファン異常信号であり、異常時Ｈレベルの信号である。
【００３９】
まず、ＤＣファンモータ４ａ、４ｂが停止している時は、図６（ａ）に示すように、ファン駆動指令はＨレベルとなっている。図６（ｅ）に示すように、ファン異常検出回路のｅ点のファン異常信号もＬレベルで正常を示している。
【００４０】
次に、エレベーターの制御回路（ＣＰＵ）内の間欠駆動判断手段１１０からファン駆動指令（Ｌレベル）が図２のドライブ回路２に送られると、半導体スイッチ３がＯＮし、ＤＣファンモータ４ａ、４ｂに電圧が印加される。
【００４１】
ここで、ＤＣファンモータ４ａがロック状態であれば、大きな起動電流が一瞬ＤＣファンモータ４ａに流れ、等価的に、ＤＣファンモータ４ａのインピーダンスが他方のＤＣファンモータ４ｂのインピーダンスよりも小さくなり、その分圧によって、図６（ｂ）に示すように、図３に示すｂ点の電位は２４Ｖよりも高くなる。
【００４２】
一方、図３に示すａ点は分圧抵抗６ａ、６ｂにより、直流電源１の半分に保たれており、２４Ｖ一定である。今、ａ点とｂ点の電位差が、ＭＯＳＦＥＴ７ｂのスレッシュ電圧（約２Ｖ）よりも大きくなった場合、ＭＯＳＦＥＴ７ｂがＯＮし、電流が流れることにより、ａ点とｂ点の電位差は上記スレッシュ電圧以上にならない様、電圧バランス回路が動作することになる。
【００４３】
また、図３に示すＭＯＳＦＥＴ７ｂがＯＮすることにより、トランジスタ１２ｂが動作し、フォトカプラ１１ｂにも電流が流れ、それまでＨレベルであったｃ点の電位はＬレベルになる。
【００４４】
次に、ロックしたＤＣファンモータ４ａは、大きな起動電流が流れることにより、その内部の保護回路で異常を認識し、今度はその電流を制限するよう動作し始める。
【００４５】
これにより、今度は逆に、ＤＣファンモータ４ａのインピーダンスは等価的にＤＣファンモータ４ｂよりも大きくなり、ｂ点の電位は２４Ｖよりも小さくなる。この結果、今度はＭＯＳＦＥＴ７ａ、トランジスタ１２ａがＯＮすることにより、フォトカプラ１１ａに電流が流れる。その結果、ｃ点の電位は、一瞬ＨレベルとなるもののＬレベルに保たれる。
【００４６】
よって、ｄ点の電位はそれまでＨレベルを保っていたものが、コンデンサ１６と抵抗１７とトランジスタ１８のベース−エミッタ間抵抗で決まる放電時定数で減少し、トランジスタ１８のＯＮを維持できなくなるまで低下すると、トランジスタ１８がＯＦＦし、図６（ｅ）に示すように、ｅ点のファン異常信号はＨレベルに変化する。これによって、ＤＣファンモータ４ａの故障が検出される。
【００４７】
ここで、ＤＣファンモータのファン駆動指令がＬレベルに変化してから、ｅ点のファン異常信号がＨレベルに変化するまでの動作時間をＴ２とすると、この動作時間Ｔ２よりも先にファン駆動指令を停止（Ｈレベル）にしてしまうと、ｅ点のファン異常信号はＨレベルに変化しない。即ち、ＤＣファンモータ４ａにロック等の異常が発生していても検出できない。なお、この動作時間Ｔ２は、上記放電時定数で決まる。
【００４８】
騒音、風量調整、省エネルギー、ＤＣファンモータの寿命を延ばす等を目的にＤＣファンモータをパルス駆動したい場合、ファン駆動指令は、Ｈ／Ｌレベルを繰り返すこととなるため、トランジスタ１８の動作レベルまでｄ点の電位が低下せず、ｅ点のファン異常信号はＨレベルに変化しない。
【００４９】
また、動作時間Ｔ２よりも長い周期でＤＣファンモータをパルス駆動すれば異常検出できるが、ファンが脈動して回転する為、パルス駆動する意味が無く、実用的では無い。
【００５０】
本実施の形態１では、図６（ａ）に示すように、ファン駆動指令を、ＤＣファンモータの駆動毎の最初に、動作時間Ｔ２よりも十分長い時間Ｔ１、Ｌレベルを継続して出力するようにし、時間Ｔ１以降、所望のパルスデューティーの信号とした。
【００５１】
これにより、ＤＣファンモータのロックや接続忘れ、ＤＣファン電源線断線等の異常が発生していた場合にも、毎起動、確実に検出することができるようにした。このファン異常信号が所定時間継続したことをエレベーターの制御回路（ＣＰＵ）内の間欠駆動判断手段１１０等で認識させ、半導体スイッチ３をＯＦＦさせることにより、回転検出回路（電圧バランス回路等）１３０やＤＣファンモータ１４０を破損させる前に、直流電源１を切り放すことが簡単にでき、信頼性の高いＤＣファンモータ駆動装置を提供できる。
【００５２】
なお、図４の回路構成においては、電圧アンバランスによって生じた過電圧でフォトカプラ１１ａ、１１ｂが動作する違いはあるが、後段のファン異常検出回路の動作は上記の図３の説明と同じである。
【００５３】
この実施の形態１に係るＤＣファンモータ駆動装置は、騒音低減や風量調整の目的で、ＤＣファンモータ１４０にパルス電圧を印加して駆動する場合において、そのファン駆動指令を、駆動毎に、最初に１００％デューティー（全電圧印加状態）を時間Ｔ１だけ出力した後、所望のデューティーに切換える。
【００５４】
ＤＣファンモータ１４０にロックや断線等の異常が発生していた場合に、確実にその異常を検出することが可能である。また、ＤＣファンモータ１４０の回転の初期段階の所定時間のみ、１００％デューティーで駆動するため、騒音等の問題も最小限に抑えることができる。
【００５５】
実施の形態２．
この発明の実施の形態２に係るＤＣファンモータ駆動装置について図面を参照しながら説明する。
【００５６】
この実施の形態２では、エレベーターの制御回路（ＣＰＵ）が、エレベーターのかごの位置を常に認識していることを利用して、エレベーターのかごがＤＣファンモータが実装されている位置から一定距離以上離れているときのみ、上記実施の形態１のファン駆動指令を印加する。
【００５７】
エレベーターのかごを昇降させるモータは、インバータ装置によって可変速制御されるが、このインバータ装置を冷却するための冷却ファンは上記インバータ装置と共に制御盤（エレベーターの制御回路）に収納される。近年、機械室不要の機械室レスエレベーターが業界の主流となり、昇降路内に上記制御盤が実装される為、上記令却ファンの回転騒音が、かご内や乗場で問題となるケースが増えてきている。
【００５８】
基本的にインバータ装置が発熱するのは、エレベーターが走行中のみであり、その間だけ冷却ファンを駆動しているが、本実施の形態２のように、かご位置が制御盤実装位置から離れているとき（例えば、制御盤から離れた階床から起動するとき）のみ、ファン駆動指令を、最初の時間Ｔ１のみ１００％デューティーとし、その後所望のデューティーで駆動するようにすれば、少なくとも、かご内への騒音は低減できる。
【００５９】
かごがＤＣファンモータの設置位置から所定距離、離れてさえいれば、ファン駆動の最初でなく、途中に１００％デューティーの区間を時間Ｔ１（Ｔ２以上）設けてもいい。
【００６０】
以上にようなファン駆動指令とすれば、殆どエレベーターの起動毎に、ＤＣファンモータの異常をチェックすることが可能となり、かご内への騒音の問題を解消するとともに、ＤＣファンモータ駆動装置の信頼性を高めることができる。
【００６１】
つぎに、この実施の形態２に係るＤＣファンモータ駆動装置の詳細な動作について図１及び図５を参照しながら説明する。
【００６２】
図１において、エレベーターの制御盤では、ファン駆動領域判定手段１６０は、エレベーターのかご位置の情報（データ）１５０から、昇降路内のＤＣファンモータ１４０の設置されている位置と、エレベーターのかごとが充分に離れて位置している時にのみ、連続駆動を許可する信号を条件入力手段１７０へ出力する。
【００６３】
次に、間欠駆動判断手段１１０は、ファン回転指令を入力した後、条件入力手段１７０による駆動条件、例えば駆動タイミングや駆動方法の指示、すなわち、上記の連続駆動を許可する信号に基づいて、ファン駆動指令を出力する（図５のステップ２００〜２０１、２２０〜２２２、２０２〜２０７）。そして、ファン駆動回路１２０は、間欠駆動判断手段１１０より指示された駆動内容でＤＣファンモータ１４０を駆動する。
【００６４】
この実施の形態２に係るＤＣファンモータ駆動装置は、騒音低減や風量調整の目的で、ＤＣファンモータにパルス電圧を印加して駆動する場合において、エレベーターのかごがＤＣファンモータ１４０の実装されている位置（例えば、インバータを内蔵している制御盤）から所定の距離だけ離れた場所に位置している場合のみ、そのファン駆動指令を、最初に１００％デューティー（全電圧印加状態）を時間Ｔ１だけ出力した後、所望のデューティーに切換える。また、上記の場合以外には、最初から所望のデューティーのファン駆動指令を印加する。
【００６５】
最初の１００％デューティー駆動によるＤＣファンモータ１４０の高回転で、かご内への騒音が問題となる場合、かご内の騒音の低減が可能となる。
【００６６】
実施の形態３．
この発明の実施の形態３に係るＤＣファンモータ駆動装置について図面を参照しながら説明する。
【００６７】
この実施の形態３では、エレベーターが自動消灯時、即ち、かご内に乗客が乗っておらず、利用されないまま所定の時間が経過しているときのみ、ＤＣファンモータ１４０の異常をチェックする１００％デューティーのファン駆動指令を時間Ｔ１（Ｔ２以上）出力する。通常のエレベーター走行中は、最初から所望のデューティーでＤＣファンモータ１４０を駆動するようにする。
【００６８】
以上により、かご内及び乗場への騒音の問題を完全に解消することができる。但し、ＤＣファンモータ１４０の異常チェック回数が減ることにより、上記実施の形態１及び２に比較すれば、信頼性がやや劣ることとなるが、騒音対策を重視したい場合は有効な手段である。
【００６９】
つぎに、この実施の形態３に係るＤＣファンモータ駆動装置の詳細な動作について図１及び図５を参照しながら説明する。
【００７０】
図１において、エレベーターの制御盤では、ファン駆動要否判定手段１９０は、エレベーター運転状況情報１８０から、休止モードに移行するなどのエレベーターが所定期間使用されない運転状況を検出した時のみ、連続駆動を許可する信号を条件入力手段１７０へ出力する。
【００７１】
次に、間欠駆動判断手段１１０は、ファン回転指令を入力した後、条件入力手段１７０による駆動条件、例えば駆動タイミングや駆動方法の指示、すなわち、上記の連続駆動を許可する信号に基づいて、ファン駆動指令を出力する（図５のステップ２００〜２０１、２２０〜２２２、２０２〜２０７）。そして、ファン駆動回路１２０は、間欠駆動判断手段１１０より指示された駆動内容でＤＣファンモータ１４０を駆動する。
【００７２】
一例として、休止モードに移行する度にＤＣファンモータ１４０の連続駆動を実行し、その連続駆動運転によってＤＣファンモータ１４０の異常の有無を回転検出回路１３０で検出する。
【００７３】
また、エレベーターが高い稼働率で運転される場合には、ＤＣファンモータ１４０を連続運転モードで運転することで、ファンによる冷却効果を増加させることもできる。
【００７４】
この実施の形態３に係るＤＣファンモータ駆動装置は、騒音低減や風量調整の目的で、ＤＣファンモータにパルス電圧を印加して駆動する場合において、通常サービス時は、駆動毎に、最初から所望のデューティーのファン駆動指令を印加し、エレベーターが自動消灯などの時、即ち、かご内に乗客がいない時のみ、ＤＣファンモータ１４０の異常をチェックするための、１００％デューティーのファン駆動指令を所定時間出力する。
【００７５】
エレベーターの利用が完全に無い時に、ＤＣファンモータ１４０の異常をチェックするため、つまり利用客のいないエレベーター休止時などにＤＣファンモータ１４０のチェックを行い、完全な騒音対策となる。
【００７６】
【発明の効果】
この発明の請求項１に係るＤＣファンモータ駆動装置は、以上説明したとおり、ＤＣファンモータの回転の要否を表わすファン回転指令信号を発生するファン回転指令信号発生手段と、前記ファン回転指令信号に基づいて、駆動毎の初期段階のみ連続駆動期間とし、この連続駆動期間の後を間欠駆動期間とするファン駆動指令を発生する間欠駆動判断手段と、前記ファン駆動指令であるパルス電圧により直列接続された複数のＤＣファンモータを駆動するファン駆動回路と、前記直列接続された複数のＤＣファンモータの回転状態を検出する回転検出回路とを備え、前記回転検出回路は、前記直列接続された各ＤＣファンモータの両端に印加される電圧を当該ＤＣファンモータの許容印加電圧以下に抑制して所定の電圧にバランスするための複数の出力能動素子を持つ電圧バランス回路と、前記出力能動素子に流れる電流の検出に基づいて前記ＤＣファンモータの異常を検出するとファン異常信号を出力するフィルタ回路を持つファン異常検出回路とを有し、前記連続駆動期間は、ＤＣファンモータの駆動毎の最初の、前記フィルタ回路の放電時定数で決まる第２の時間よりも十分長い第１の時間で、前記ファン駆動指令が１００％デューティーであり、前記間欠駆動期間は、前記連続駆動期間に続く前記ファン駆動指令が出ている間で、前記ファン駆動指令が前記１００％デューティーに続く所定のデューティーであり、前記間欠駆動判断手段は、前記ファン異常信号に基づいて、ＤＣファンモータの駆動を停止させるように前記ファン駆動指令の発生を止めるので、ＤＣファンモータをパルス駆動する場合でも、ＤＣファンモータの異常を検出することができるという効果を奏する。
【００７９】
この発明の請求項２に係るＤＣファンモータ駆動装置は、以上説明したとおり、エレベーターのかご位置の情報に基づいて、前記ＤＣファンモータが設置されている位置とかご位置の間が所定の距離だけ離れている場合には、前記ＤＣファンモータの連続駆動を許可する信号を出力するファン駆動領域判定手段と、前記連続駆動を許可する信号に基づいて駆動タイミングを前記間欠駆動判断手段へ指示する条件入力手段とをさらに備え、前記間欠駆動判断手段は、前記ファン回転指令を入力した後、前記条件入力手段からの駆動タイミングに基づいて、駆動の初期段階のみ連続駆動期間とし、この連続駆動期間の後を間欠駆動期間とするファン駆動指令を出力するので、ＤＣファンモータの異常をチェックすることができるとともに、かご内への騒音の問題を解消することができ、ＤＣファンモータ駆動装置の信頼性を高めることができるという効果を奏する。
【００８０】
この発明の請求項３に係るＤＣファンモータ駆動装置は、以上説明したとおり、エレベーターの運転状況情報に基づいて、エレベーターが所定期間使用されない運転状況を検出した場合には、前記ＤＣファンモータの連続駆動を許可する信号を出力するファン駆動要否判定手段と、前記連続駆動を許可する信号に基づいて駆動タイミングを前記間欠駆動判断手段へ指示する条件入力手段とをさらに備え、前記間欠駆動判断手段は、前記ファン回転指令を入力した後、前記条件入力手段からの駆動タイミングに基づいて、駆動の初期段階のみ連続駆動期間とし、この連続駆動期間の後を間欠駆動期間とするファン駆動指令を出力するので、完全に騒音を解消することができるという効果を奏する。
【図面の簡単な説明】
【図１】  この発明の実施の形態１〜３に係るＤＣファンモータ駆動装置の構成を示すブロック図である。
【図２】  この発明の実施の形態１〜３に係る、及び従来のＤＣファンモータ駆動装置のファン駆動回路及び回転検出回路の構成を示す図である。
【図３】  この発明の実施の形態１〜３に係る、及び従来のＤＣファンモータ駆動装置の回転検出回路の電圧バランス回路及びファン異常検出回路の構成を示す図である。
【図４】  この発明の実施の形態１〜３に係る、及び従来のＤＣファンモータ駆動装置の回転検出回路の他の電圧バランス回路及びファン異常検出回路の構成を示す図である。
【図５】  この発明の実施の形態１〜３に係るＤＣファンモータ駆動装置の動作を示すフローチャートである。
【図６】  この発明の実施の形態１〜３に係るＤＣファンモータ駆動装置の動作を示すタイミングチャートである。
【符号の説明】
１  直流電源、２  ドライブ回路、３  半導体スイッチ、４ａ、４ｂ  ＤＣファンモータ、５、５Ａ、５Ｂ  電圧バランス回路及びファン異常検出回路、１００  ファン回転指令信号発生手段、１１０  間欠駆動判断手段、１２０  ファン駆動回路、１３０  回転検出回路、１４０  ＤＣファンモータ、１５０  エレベーターかご位置（情報）、１６０  ファン駆動領域判定手段、１７０  条件入力手段、１８０  エレベーター運転状況（情報）、１９０  ファン駆動要否判定手段。
【図１】
0003912770.tif 000002
【図２】
0003912770.tif 000003
【図３】
0003912770.tif 000004
【図４】
0003912770.tif 000005
【図５】
0003912770.tif 000006
【図６】
0003912770.tif 000007